(57)【要約】【課題】相手端子に対する端子の接触信頼性を向上させる。【解決手段】端子１は、相手端子２００と、回路基板５０３の導通パターンと、を電気的に接続すると共に、回路基板５０３に固定されるハウジング１１０の端子収容室１１１に収容され、導電性の板より形成されている端子１であって、本体部１０と、曲げ部２０と、接点部３０と備える。本体部１０は、ハウジング１１０の端子収容室１１１に係止する係止部を有する。曲げ部２０は、本体部１０の一端から延びて、Ｕ字状に形成されている。接点部３０は、曲げ部２０の延びた先端に設けられ、相手端子２００に接触する。曲げ部２０は、少なくとも相手端子２００が接点部３０に接続されると、本体部１０に接触する接触部Ｃを有する。【選択図】図８
2020064724.tif 000002
【特許請求の範囲】
【請求項１】
相手端子と、コネクタ接続対象の導通部分と、を電気的に接続すると共に、前記コネクタ接続対象に固定されるハウジングの端子収容室に収容され、導電性の板より形成されている端子であって、
前記ハウジングの端子収容室に係止する係止部を有する本体部と、
前記本体部の一端から延びて、Ｕ字状に形成されている曲げ部と、
前記曲げ部の延びた先端に設けられ、前記相手端子に接触する接点部と、
を備え、
前記曲げ部は、少なくとも前記相手端子が前記接点部に接続されると、前記本体部に接触する接触部を有する、端子。
【請求項２】
相手端子と、コネクタ接続対象の導通部分と、を電気的に接続すると共に、前記コネクタ接続対象に固定されるハウジングの端子収容室に収容され、導電性の板より形成されている端子であって、
前記ハウジングの端子収容室に係止する係止部を有する本体部と、
前記本体部の一端から延びて、Ｕ字状に形成されている曲げ部と、
前記本体部の他端から折り曲げられて延設され、前記コネクタ接続対象が有する実装面に実装するための実装部を有する延設部と、
を備え、
前記延設部は、前記本体部の他端から前記実装面に向けて突出する突出部を有する、端子。
【請求項３】
前記延設部は、前記実装面に平行に延設されると共に、前記実装面に対向する第１面が形成されている延設部本体を有し、
前記実装部には、前記実装面に対向すると共に、前記第１面よりも前記実装面の近くに設けられた第２面が形成されている、請求項２に記載の端子。
【請求項４】
前記突出部の先端と、前記第２面とは、前記実装部が前記実装面に実装されている状態において、同一面上にある、請求項３に記載の端子。
【請求項５】
前記曲げ部の延びた先端に設けられ、前記相手端子に接触する接点部を備え、
前記曲げ部は、少なくとも前記相手端子が前記接点部に接続されると、前記本体部に接触する接触部を有する、請求項２から４のいずれか一項に記載の端子。
【請求項６】
前記曲げ部の前記接触部は、前記相手端子が前記接点部に接続される前の状態において、前記本体部から離間している、請求項１又は５に記載の端子。
【請求項７】
前記相手端子が前記接点部に接続される前の状態における、前記本体部から前記接触部までの離間距離は、前記導電性の板の厚みと同等以下である、請求項６に記載の端子。
【請求項８】
前記曲げ部の前記接触部は、前記相手端子が前記接点部に接続される前の状態において、前記本体部に接触している、請求項１又は５に記載の端子。
【請求項９】
前記曲げ部の前記接触部は、前記本体部に面接触している、請求項１、５から８のいずれか一項に記載の端子。
【請求項１０】
前記曲げ部は、前記本体部の一端から折り返されて、前記本体部に密着する密着部分を有し、
前記本体部に面接触している前記接触部は、当該密着部分である、請求項９に記載の端子。
【請求項１１】
前記曲げ部は、前記本体部の一端からヘアピン状に折り返されて接続されている、請求項１０に記載の端子。
【請求項１２】
前記曲げ部の前記接触部は、前記本体部に点接触又は線接触している、請求項１、５から８のいずれか一項に記載の端子。
【請求項１３】
請求項１から１２のいずれか一項に記載の端子と、
前記コネクタ接続対象に固定され、前記端子を収容するハウジングと、
を備える、コネクタ。
【発明の詳細な説明】
【技術分野】
【０００１】
本発明は、端子及びコネクタに関する。
【背景技術】
【０００２】
特許文献１には、相手端子と電気的に接続される端子を備えるコネクタが開示されている。特許文献１に記載のコネクタの端子は、相手端子が接触する接点部と、ハウジングに固定される本体部と、本体部から湾曲しつつ延び先端に接点部が形成されているＵ字状の曲げ部と、本体部から接点部とは反対側に延び基板にはんだ接続されるはんだ付け部と、を備える。
【先行技術文献】
【特許文献】
【０００３】
【特許文献１】特開平０８−０８３６５３号公報
【発明の概要】
【発明が解決しようとする課題】
【０００４】
特許文献１に記載の端子においては、相手端子と端子との接触信頼性が不十分であり、改良の余地がある。
【０００５】
本発明は、上述の事情の下になされたもので、相手端子に対する端子の接触信頼性を向上させることを目的とする。
【課題を解決するための手段】
【０００６】
上述の目的を達成するために、本発明の第１の観点に係る端子は、
相手端子と、コネクタ接続対象の導通部分と、を電気的に接続すると共に、前記コネクタ接続対象に固定されるハウジングの端子収容室に収容され、導電性の板より形成されている端子であって、
前記ハウジングの端子収容室に係止する係止部を有する本体部と、
前記本体部の一端から延びて、Ｕ字状に形成されている曲げ部と、
前記曲げ部の延びた先端に設けられ、前記相手端子に接触する接点部と、
を備え、
前記曲げ部は、少なくとも前記相手端子が前記接点部に接続されると、前記本体部に接触する接触部を有する。
【０００７】
本発明の第２の観点に係る端子は、
相手端子と、コネクタ接続対象の導通部分と、を電気的に接続すると共に、前記コネクタ接続対象に固定されるハウジングの端子収容室に収容され、導電性の板より形成されている端子であって、
前記ハウジングの端子収容室に係止する係止部を有する本体部と、
前記本体部の一端から延びて、Ｕ字状に形成されている曲げ部と、
前記本体部の他端から折り曲げられて延設され、前記コネクタ接続対象が有する実装面に実装するための実装部を有する延設部と、
を備え、
前記延設部は、前記本体部の他端から前記実装面側に突出する突出部を有する。
【０００８】
前記延設部は、前記実装面に平行に延設されると共に、前記実装面に対向する第１面が形成されている延設部本体を有し、
前記実装部には、前記実装面に対向すると共に、前記第１面よりも前記実装面の近くに設けられた第２面が形成されていてもよい。
【０００９】
前記突出部の先端と、前記第２面とは、前記実装部が前記実装面に実装されている状態において、同一面上にあってもよい。
【００１０】
前記曲げ部の延びた先端に設けられ、前記相手端子に接触する接点部を備え、
前記曲げ部は、少なくとも前記相手端子が前記接点部に接続されると、前記本体部に接触する接触部を有していてもよい。
【００１１】
前記曲げ部の前記接触部は、前記相手端子が前記接点部に接続される前の状態において、前記本体部から離間していてもよい。
【００１２】
前記相手端子が前記接点部に接続される前の状態における、前記本体部から前記接触部までの離間距離は、前記導電性の板の厚みと同等以下であってもよい。
【００１３】
前記曲げ部の前記接触部は、前記相手端子が前記接点部に接続される前の状態において、前記本体部に接触していてもよい。
【００１４】
前記曲げ部の前記接触部は、前記本体部に面接触していてもよい。
【００１５】
前記曲げ部は、前記本体部の一端から折り返されて、前記本体部に密着する密着部分を有し、
前記本体部に面接触している前記接触部は、当該密着部分であってもよい。
【００１６】
前記曲げ部は、前記本体部の一端からヘアピン状に折り返されて接続されていてもよい。
【００１７】
前記曲げ部の前記接触部は、前記本体部に点接触又は線接触していてもよい。
【００１８】
本発明の第３の観点に係るコネクタは、
本発明の第１又は第２の観点に係る端子と、
前記コネクタ接続対象に固定され、前記端子を収容するハウジングと、
を備える。
【発明の効果】
【００１９】
本発明においては、相手端子に対する端子の接触信頼性を向上させることができる。
【図面の簡単な説明】
【００２０】
【図１】本発明の実施の形態１に係るコネクタを備えるカメラモジュールの斜視図である。
【図２】カメラモジュールの分解断面図である。
【図３】コネクタ及び回路基板の斜視図である。
【図４】コネクタ及び回路基板の断面図である。
【図５】端子の斜視図である。
【図６】端子の断面図である。
【図７】端子と相手端子との接続方法を説明するための断面図（その１）である。
【図８】端子と相手端子との接続方法を説明するための断面図（その２）である。
【図９】比較例に係る端子の断面図である。
【図１０】相手端子が接触した場合の比較例に係る端子の断面図である。
【図１１】実施の形態２に係る端子の断面図である。
【図１２】相手端子が接触した場合の実施の形態２に係る端子の断面図である。
【図１３】実施の形態３に係る端子の断面図である。
【図１４】相手端子が接触した場合の実施の形態３に係る端子の断面図である。
【図１５】実施の形態４に係る端子の断面図である。
【図１６】相手端子が接触した場合の実施の形態４に係る端子の断面図である。
【発明を実施するための形態】
【００２１】
実施の形態１．
以下、本発明の実施の形態１に係る端子１及びコネクタ１００について、図１〜図８を用いて説明する。なお、理解を容易にするために、ＸＹＺ座標を設定し、適宜参照する。ＸＹＺ座標のＺ軸方向は、図２に示すように、コネクタ１００の端子１に相手端子２００を接続するために、相手端子２００が移動する移動方向Ｄ１である。Ｘ軸方向及びＹ軸方向は、Ｚ軸方向に直交する方向である。
【００２２】
コネクタ１００は、例えば、図１に示す自動車に搭載されるカメラモジュール３００に用いられるものである。カメラモジュール３００は、図２に示すように、第１ユニット４００と、第２ユニット５００とから構成されている。
【００２３】
第１ユニット４００は、絶縁性の素材より形成されるユニットハウジング４０１と、ユニットハウジング４０１に一体的に形成され、導電性の素材より形成される相手端子２００とを備える。ユニットハウジング４０１には、カメラモジュール３００の接続対象３０１が嵌合する孔部４０２が形成されている。相手端子２００の一方の端部２００ａは、孔部４０２の内部に突出している。相手端子２００の他方の端部２００ｂは、ユニットハウジング４０１の底面４０３（−Ｚ側の面）から外部に露出している。
【００２４】
第２ユニット５００は、絶縁性の素材より形成されるケース５０１と、ケース５０１にネジ５０２で組み付けられた回路基板５０３と、回路基板５０３に固定されているコネクタ１００とを備える。回路基板５０３の実装面５０３ａには、導通パターン（導通部分）が形成されている。この導通パターンには、図３に示すように、コネクタ１００が備える端子１が電気的に接続されている。実装面５０３ａは、本実施の形態１では、ＸＹ平面に平行な面である。
【００２５】
コネクタ１００は、ハウジング１１０と、端子１とを備える。本実施の形態１においては、コネクタ１００は、６本の端子１を備えている。
【００２６】
ハウジング１１０には、図４に示すように、端子収容室１１１が形成されている。この端子収容室１１１には、端子１が収容されている。ハウジング１１０の上面１１１ａからは、端子１の一部が外部に露出している。ハウジング１１０は、端子１を収容した状態で、回路基板５０３の実装面５０３ａに固定されている。
【００２７】
端子１は、一枚の導電性の板が折り曲げられることにより形成されている。端子１は、図４及び図５に示すように、本体部１０と、曲げ部２０と、接点部３０と、延設部４０とを備える。
【００２８】
本体部１０は、Ｚ軸方向に延びる部位であり、ハウジング１１０の端子収容室１１１の内壁面に係止する一対の係止部１１を有する。係止部１１が内壁面に係止することにより、端子１は、ハウジング１１０の端子収容室１１１に固定される。
【００２９】
曲げ部２０は、本体部１０の＋Ｚ側の上端１０ａから折り返されてから延びて、一部がＵ字状に湾曲して形成されている。ここで、本実施の形態１における「Ｕ字状」は、ストレート部分を有さずに全体として湾曲している略Ｕ字状を含むものとする。この曲げ部２０は、接点部３０に相手端子２００が接触すると撓むように構成されている。また、曲げ部２０には、本体部１０に接触する接触部Ｃを有する。
【００３０】
接触部Ｃは、本実施の形態１においては、相手端子２００が接点部３０に接続される前の状態と、接続された後の状態とのいずれの状態においても、本体部１０に接触している。また、曲げ部２０は、本体部１０の上端１０ａからヘアピン状に折り返されているヘアピン部２１と、ヘアピン部２１から本体部１０に平行に延びる折返し延設部２２と、折返し延設部２２からＵ字状に湾曲して形成されている曲げ部本体２３とを有する。ここで、本実施の形態１における「ヘアピン状」とは、折返し部分自体は密着せずに、隙間２１ａを有するように折り返されて、ヘアピン部２１以外の部分（本体部１０と折返し延設部２２）が密着されている状態のことを示している。折返し延設部２２は、本体部１０に密着しており、本実施の形態１においては、当該密着部分が接触部Ｃとして構成されている。したがって、接触部Ｃは、当該密着部分において、本体部１０に面接触している。
【００３１】
接点部３０は、図２に示すように、相手端子２００が接続される部分である。図４及び図５に示すように、接点部３０は、曲げ部２０（詳しくは、曲げ部本体２３）の延びた先端２０ａに設けられ、ハウジング１１０の外部に配置されている。接点部３０は、例えば、曲げ部２０の先端２０ａの裏側から押圧されることで形成された凸部から構成されている。
【００３２】
延設部４０は、本体部１０の−Ｚ側の下端１０ｂから折り曲げられて延設されている。延設部４０は、延設部本体４１と、回路基板５０３の実装面５０３ａに実装するための実装部４２と、突出部４３とを有する。
【００３３】
延設部本体４１は、図６に示すように、実装面５０３ａに平行に延設されている。この延設部本体４１には、実装面５０３ａに対向する底面４１ａが形成されている。
【００３４】
実装部４２は、例えば、はんだ付けにより実装面５０３ａに実装される部位であり、実装面５０３ａに実装される前においては、Ｙ軸方向から少し下方に傾斜しつつ延設されている。この実装部４２には、実装面５０３ａに対向する底面４２ａが形成されている。この底面４２ａは、延設部本体４１の底面４１ａよりも実装面５０３ａの近く（−Ｚ側）に設けられている。これにより、実装部４２は、実装面５０３ａにはんだ付けしやすいように構成される。
【００３５】
突出部４３は、本体部１０の下端１０ｂから実装面５０３ａに向けて突出している。この突出部４３は、少なくとも延設部本体４１の底面４１ａよりも実装面５０３ａの近く（−Ｚ側）に突出するように設けられている。突出部４３の先端と、実装部４２の底面４２ａとは、実装部４２が実装面５０３ａに実装されている状態において、同一面上（実装面５０３ａと同じ面上）にある。
【００３６】
上述のように構成されたコネクタ１００の端子１と相手端子２００との接続方法について、図７、８を用いて説明する。なお、本実施の形態において、図７、８に示す「相手端子２００が接点部３０に接続された後の状態」とは、相手端子２００が接点部３０に単に接触されている状態ではなく、相手端子２００からの負荷により端子１の曲げ部２０が撓み、第１ユニット４００と第２ユニット５００とが完全に嵌合された状態を示している。
【００３７】
第１ユニット４００を、相手端子２００と共に移動方向Ｄ１（−Ｚ方向）に移動させていくと、図７、８に示すように、相手端子２００は、端子１の接点部３０に当接する。そうすると、移動方向Ｄ１と同じ方向に相手端子２００から負荷が加わり、曲げ部２０が撓む。そして、曲げ部２０の弾性力により適度な接触荷重が維持されつつ、相手端子２００が端子１に接続される。この結果、相手端子２００と端子１とが電気的に接続される。そうすると、第１ユニット４００と第２ユニット５００との接続も完了し、カメラモジュール３００が完成する。
【００３８】
以上、説明したように、本実施の形態１においては、図４及び図８を比較するとわかるように、曲げ部２０の接触部Ｃは、相手端子２００が接点部３０に接続される前後のいずれにおいても、本体部１０に接触している。このため、図４に示す曲げ部２０の曲率半径Ｒを大きく確保できる。これにより、相手端子２００が接点部３０に接触し、曲げ部２０の撓んだ際に、曲げ部２０に加わる応力を分散させることができる。
【００３９】
これに対して、図９及び図１０に示す比較例に係る端子１Ａにおいては、曲げ部２０は、本体部１０に接触する接触部Ｃを有していない。この場合、曲げ部２０の折返し延設部２２Ａが、実施の形態１の折返し延設部２２よりも＋Ｙ側に配置されるため、曲げ部２０の曲率半径Ｒが小さくなる。これにより、相手端子２００が接点部３０に接続されると、曲げ部２０の撓んだ際に、曲げ部２０に加わる応力が一部に集中しやすくなる。なお、特許文献１に記載の端子も同様に課題を有している。
【００４０】
しかしながら、本実施の形態１においては、図６と図９とを比較するとわかるように、曲げ部２０の接触部Ｃは本体部１０に接触している。曲げ部２０の折返し延設部２２が、比較例に係る端子１Ａの折返し延設部２２Ａよりも−Ｙ側に配置されるため、曲げ部２０の曲率半径Ｒを大きく確保できる。これにより、相手端子２００が接点部３０に接触し、曲げ部２０の撓んだ際に、曲げ部２０に加わる応力を分散させることができる。また、曲率半径Ｒを大きく確保するために曲げ部２０のサイズを大きくして、ひいては、コネクタ１００全体のサイズが大型化することもない。この結果、コネクタ１００全体のサイズを維持しつつ、相手端子２００に対する端子１の接触信頼性を向上させることができる。
【００４１】
また、本実施の形態１においては、本体部１０の−Ｚ側の下端１０ｂから実装面５０３ａに向けて、突出部４３が突出している。このため、相手端子２００が接点部３０に接触した際に、突出部４３の先端が、回路基板５０３の実装面５０３ａに接触して、本体部１０が−Ｚ方向に移動してしまうことを抑制することができる。
【００４２】
これに対して、図９及び図１０に示す比較例に係る端子１Ａにおいては、延設部４０は、実装面５０３ａに接触する突出部４３を有していない。この場合、相手端子２００が接点部３０に接触した際に、本体部１０の下端１０ｂが、実装面５０３ａに実装されている実装部４２を基点に回動方向Ｄ２回りに回動し、この回動に伴って、本体部１０が−Ｚ方向に移動するおそれがある。そうすると、実装面５０３ａと実装部４２との実装部分に負荷が加わり、実装部４２のはんだが損傷するおそれがある。また、ハウジングから端子１Ａが脱落するおそれがある。なお、特許文献１に記載の端子も同様に課題を有している。
【００４３】
しかしながら、本実施の形態１においては、図４及び図８に示すように、相手端子２００が接点部３０に接触した際に、突出部４３の先端が、回路基板５０３の実装面５０３ａに接触するため、本体部１０の下端１０ｂが、実装面５０３ａに実装されている実装部４２を基点に回動することを回避することができる。これにより、本体部１０が−Ｚ方向に移動しなくなり、この結果、相手端子２００に対する端子１の接触信頼性を向上させることができる。
【００４４】
また、本実施の形態１においては、端子１の曲げ部２０は、ヘアピン部２１を有している。このため、端子１の製造において、本体部１０から曲げ部２０を折り曲げる際に、本体部１０と曲げ部２０との接続部分に応力が集中し、当該部分が割れることを防止することができる。
【００４５】
実施の形態２．
本発明の実施の形態１に係る端子１では、図４に示すように、曲げ部２０の接触部Ｃは、本体部１０に面接触している。しかしながら、これに限られない。図１１及び図１２に示す実施の形態２に係る端子２のように、曲げ部２０の接触部Ｃは、本体部１０に点接触又は線接触していてもよい。なお、端子２においては、接触部Ｃは、相手端子２００が接点部３０に接続される前と、接続された後とのいずれの状態においても、本体部１０に点接触又は線接触している。端子２は、接触部Ｃが本体部１０に点接触又は線接触している点以外は、端子１の構造と同等の構造を有する。このため、端子２においても、端子１と同等の効果を奏することができる。しかしながら、端子２においては、端子２を構成する導電性の板の弾性力により、相手端子２００が接点部３０に接続される前の状態において、接触部Ｃを本体部１０に点接触又は線接触させることは難しいため、製造上の観点からも、実施の形態１に係る端子１の方が好ましい。
【００４６】
実施の形態３．
本発明の実施の形態１に係る端子２では、図１１及び図１２に示すように、曲げ部２０の接触部Ｃは、相手端子２００が接点部３０に接続される前と、接続された後との状態のいずれの状態においても、本体部１０に接触している。しかしながら、接触部Ｃは、少なくとも相手端子２００が接点部３０に接続された後に、本体部１０に接触していればよい。例えば、図１３に示す実施の形態３に係る端子３では、相手端子２００が接点部３０に接続される前の状態において、曲げ部２０の接触部Ｃは、本体部１０から離間している。そして、図１４に示すように、相手端子２００が接点部３０に接続されると、曲げ部２０の接触部Ｃは、本体部１０に接触する。端子３は、相手端子２００が接点部３０に接続される前の状態において、接触部Ｃが本体部１０から離間している点以外は、端子２の構造と同等の構造を有する。このため、端子３においても、端子２と同等の効果を奏することができる。なお、実施の形態３においては、相手端子２００が接点部３０に接続された後の状態において、本体部１０に点接触又は線接触しているが、これに限られない。接触部Ｃは、接点部３０に接続された後の状態において、本体部１０に面接触してもよい。
【００４７】
なお、実施の形態３に係る端子３においては、本体部１０から接触部Ｃまでの離間距離Ｌは大きすぎると、相手端子２００が接点部３０に接続されても、接触部Ｃが本体部１０に接触しないおそれがある。このため、離間距離Ｌは、端子３を構成する導電性の板の厚みｔと同等以下であることが好ましい。
【００４８】
以上、本発明の実施の形態１〜３について説明したが、本発明は上記実施の形態１〜３によって限定されるものではない。
【００４９】
例えば、実施の形態１では、図４及び図８に示すように、相手端子２００が接点部３０に接続される前後のいずれにおいても、曲げ部２０の接触部Ｃは、本体部１０に面接触している。また、実施の形態２では、図１１及び図１２に示すように、相手端子２００が接点部３０に接続される前後のいずれにおいても、曲げ部２０の接触部Ｃは、本体部１０に点接触又は線接触している。しかしながら、これに限られない。例えば、図１５及び１６に示す端子４のように、相手端子２００が接点部３０に接続される前の状態においては、曲げ部２０の接触部Ｃは、本体部１０に点接触又は線接触し、そして、相手端子２００が接点部３０に接続されると、接触部Ｃは、本体部１０に面接触するようにしてもよい。
【００５０】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００５１】
１，１Ａ，２，３，４：端子、１０：本体部、１０ａ：上端（本体部の一端）、１０ｂ：下端（本体部の他端）、１１：係止部、２０：曲げ部、２０ａ：先端、２１：ヘアピン部、２１ａ：（ヘアピン部の）隙間、２２，２２Ａ：折返し延設部、２３：曲げ部本体、３０：接点部、４０：延設部、４１：延設部本体、４１ａ：底面（第１面）、４２：実装部、４２ａ：底面（第２面）、４３：突出部、１００：コネクタ、１１０：ハウジング、１１１：端子収容室、１１１ａ：上面、２００：相手端子、２００ａ：一方の端部、２００ｂ：他方の端部、３００：カメラモジュール、３０１：接続対象、４００：第１ユニット、４０１：ユニットハウジング、４０２：孔部、４０３：底面、５００：第２ユニット、５０１：ケース、５０２：ネジ、５０３：回路基板（コネクタ接続対象）、５０３ａ：実装面、Ｃ：接触部、Ｒ：曲率半径、Ｄ１：移動方向、Ｄ２：回動方向、Ｌ：離間距離、ｔ：厚み。
【図１】
2020064724.tif 000003
【図２】
2020064724.tif 000004
【図３】
2020064724.tif 000005
【図４】
2020064724.tif 000006
【図５】
2020064724.tif 000007
【図６】
2020064724.tif 000008
【図７】
2020064724.tif 000009
【図８】
2020064724.tif 000010
【図９】
2020064724.tif 000011
【図１０】
2020064724.tif 000012
【図１１】
2020064724.tif 000013
【図１２】
2020064724.tif 000014
【図１３】
2020064724.tif 000015
【図１４】
2020064724.tif 000016
【図１５】
2020064724.tif 000017
【図１６】
2020064724.tif 000018